(57)【要約】      （修正有）【課題】下り側経路および上り側経路の通信における通信品質を把握し、無線通信システム全体の通信品質を正確に評価する。【解決手段】無線通信装置６０は、無線通信によって相手局と所定の情報を送受信する通信手段６１と、相手局ＩＤに対応付けられた成否情報が登録された記憶手段６２と、発着呼を検出した場合に該発着呼についての相手局ＩＤを取得すると共に検出した発着呼の成否を判定し、取得した相手局ＩＤに対応付けて判定結果を成否情報として記憶手段に登録する発着呼検出手段６３と、通信手段が、相手局から相手局ＩＤと共に成否情報を受信した場合、受信した相手局ＩＤおよび成否情報を前記記憶手段に登録する情報受付手段６４と、記憶手段に登録されている成否情報に基づいて通信品質を評価する評価手段６５と、を備える。【選択図】図１７
2016066936.tif 000002
【特許請求の範囲】
【請求項１】
無線通信によって相手局と所定の情報を送受信する通信手段と、
相手局ＩＤに対応付けられた成否情報が登録された記憶手段と、
発着呼を検出した場合に該発着呼についての相手局ＩＤを取得すると共に前記検出した発着呼の成否を判定し、取得した相手局ＩＤに対応付けて前記判定結果を成否情報として前記記憶手段に登録する発着呼検出手段と、
前記通信手段が、相手局から相手局ＩＤと共に成否情報を受信した場合、受信した相手局ＩＤおよび成否情報を前記記憶手段に登録する情報受付手段と、
前記記憶手段に登録されている成否情報に基づいて通信品質を評価する評価手段と、
を備える無線通信装置。
【請求項２】
前記通信手段は、所定の時間に、前記登録された相手局ＩＤを有する相手局へ、該相手局ＩＤに対応付けられて登録されている成否情報を自局ＩＤと共に送信する、請求項１に記載の無線通信装置。
【請求項３】
前記発着呼検出手段は、発着呼を検出した場合に発着呼の発生時間を取得し、前記取得した相手局ＩＤに対応付けて、前記成否情報および取得した発生時間を前記記憶手段に登録し、
前記情報受付手段は、前記相手局ＩＤと共に成否情報および発生時間を受信した場合、前記受信した相手局ＩＤ、成否情報および発生時間を前記記憶手段に登録し、
前記通信手段は、前記登録された相手局ＩＤを有する相手局へ、該相手局ＩＤに対応付けられて登録されている成否情報および発生時間を自局ＩＤと共に送信する、
請求項２に記載の無線通信装置。
【請求項４】
前記相手局との通信における受信強度を計測する計測手段をさらに備え、
前記計測手段は、前記発着呼検出手段が発着呼を検出した場合、前記受信強度を計測し、計測した受信強度を前記相手局ＩＤと対応付けて前記記憶手段に登録し、
前記情報受付手段は、前記相手局ＩＤと共に成否情報および受信強度を受信した場合、前記受信した相手局ＩＤ、成否情報および受信強度を前記記憶手段に登録し、
前記通信手段は、前記登録された相手局ＩＤを有する相手局へ、該相手局ＩＤに対応付けられて登録されている成否情報および受信強度を自局ＩＤと共に送信する、
請求項２または３に記載の無線通信装置。
【請求項５】
電源断の発生および電源断からの復旧を検出する電源断監視手段をさらに備え、
前記電源断監視手段は、電源断の発生または電源断からの復旧を検出した場合、電源断の発生時間または復旧時間を取得し、取得した電源断発生時間および復旧時間を前記記憶手段に登録し、
前記評価手段は、前記記憶手段に登録されている成否情報、電源断発生時間および復旧時間に基づいて通信品質を評価する、
請求項１乃至４のいずれか１項に記載の無線通信装置。
【請求項６】
ユーザからの指示を受け付ける入力手段と、
各種情報を表示する表示手段と、
をさらに備え、
前記評価手段は、前記入力手段が通信品質を表示するための指示を受け付けた場合、前記評価した通信品質を前記表示手段に表示する、請求項１乃至５のいずれか１項に記載の無線通信装置。
【請求項７】
前記評価手段は、通信品質が所定のレベルよりも低い場合、前記表示手段へアラームを表示する、請求項６に記載の無線通信装置。
【請求項８】
互いに無線通信する、請求項１乃至７のいずれか１項に記載の第１の無線通信装置および第２の無線通信装置を備えた無線通信システムであって、
前記第１の無線通信装置、第２の無線通信装置はそれぞれ、前記第２の無線通信装置、第１の無線通信装置から相手局ＩＤと共に成否情報を受信した場合、受信した相手局ＩＤおよび成否情報を記憶手段に登録する、ことを特徴とする無線通信システム。
【請求項９】
前記第２の無線通信装置と通信するサーバをさらに備え、
前記第１の無線通信装置は固定通信端末であり、前記第２の無線通信装置は基地局であり、
前記第２の無線通信装置は、評価手段が評価した通信品質を前記サーバへ送信する、
請求項８に記載の無線通信システム。
【請求項１０】
相手局ＩＤに対応付けられた成否情報が登録された記憶手段を備える無線通信装置における通信の品質評価方法であって、
発着呼を検出した場合に該発着呼についての相手局ＩＤを取得すると共に前記検出した発着呼の成否を判定し、取得した相手局ＩＤに対応付けて前記判定結果を成否情報として前記記憶手段に登録し、
無線通信によって相手局から相手局ＩＤと共に成否情報を受信した場合、受信した相手局ＩＤおよび成否情報を前記記憶手段に登録し、
前記記憶手段に登録されている成否情報に基づいて通信品質を評価する、
無線通信の品質評価方法。
【発明の詳細な説明】
【技術分野】
【０００１】
本発明は、発着呼と電源断の監視機能を備えた固定通信端末装置と基地局通信装置、および無線通信システムに関する。
【背景技術】
【０００２】
基地局と固定端末間を無線で接続する無線通信システムにおいて、その通信品質を評価する技術が種々提案されている。
【０００３】
例えば、特許文献１には、無線固定端末装置の設置の際に受信電界強度情報を取得し、該取得した受信電界強度情報とあらかじめ設定されている受信電界強度とを比較することによって、十分な受信電界強度が得られているか否かを判断する技術が記載されている。
【０００４】
特許文献２には、通信品質をＲＳＳＩ（Ｒｅｃｅｉｖｅｄ  Ｓｉｇｎａｌ  Ｓｔｒｅｎｇｔｈ  Ｉｎｄｉｃａｔｉｏｎ：受信強度）信号によって判定し、その判定結果に基づいて、システマティックビットデータおよびパリティビットデータのうち、少なくとも一方の変調方式を適応的に変化させて各々独立に変調する技術を、基地局装置及び通信端末装置に適用可能であることが記載されている。
【先行技術文献】
【特許文献】
【０００５】
【特許文献１】特開平１０−３２７４７０号公報
【特許文献２】特開２００４−１５３６４０号公報
【発明の概要】
【発明が解決しようとする課題】
【０００６】
特許文献１および特許文献２の発明では、無線通信システムにおいて、その通信品質を検証するために、ＲＳＳＩを監視する方法が用いられている。しかしながら、この監視方法は、基地局から固定端末への下り側経路の通信における通信品質のみを監視するものであって、固定端末から基地局への上り側経路の通信における通信品質を把握することができない。すなわち、無線通信システム全体の通信品質を正確に評価することができない。
【０００７】
また、ＲＳＳＩが良好な場合であっても、マルチパスフェージングや、基地局および端末の周囲で発生するノイズ、停電といった外的要因の影響により、基地局と固定端末間の通信が失敗する場合があるが、特許文献１および特許文献２の技術のようにＲＳＳＩを監視するだけでは、通信失敗の原因が、外的要因によるものなのか、基地局や固定端末の故障といった内的要因によるものなのかを判別することができない。
【０００８】
本発明は上記の問題に鑑みてなされたものであり、下り側経路および上り側経路の通信における通信品質を把握し、無線通信システム全体の通信品質を正確に評価することができる、無線通信装置、無線通信システムおよび無線通信の品質評価方法を提供することを目的とする。
【課題を解決するための手段】
【０００９】
上記目的を達成するために本発明に係る無線通信装置は、無線通信によって相手局と所定の情報を送受信する通信手段と、相手局ＩＤに対応付けられた成否情報が登録された記憶手段と、発着呼を検出した場合にその発着呼についての相手局ＩＤを取得すると共に前記検出した発着呼の成否を判定し、取得した相手局ＩＤに対応付けて前記判定結果を成否情報として前記記憶手段に登録する発着呼検出手段と、前記通信手段が、相手局から相手局ＩＤと共に成否情報を受信した場合、受信した相手局ＩＤおよび成否情報を前記記憶手段に登録する情報受付手段と、前記記憶手段に登録されている成否情報に基づいて通信品質を評価する評価手段と、を備えることを特徴とする。
【００１０】
上記目的を達成するために本発明に係る無線通信システムは、互いに無線通信する上記の第１の無線通信装置および第２の無線通信装置を備えた無線通信システムであって、第１の無線通信装置、第２の無線通信装置はそれぞれ、第２の無線通信装置、第１の無線通信装置から相手局ＩＤと共に成否情報を受信した場合、受信した相手局ＩＤおよび成否情報を記憶手段に登録することを特徴とする。
【００１１】
上記目的を達成するために本発明に係る無線通信装置における通信品質方法は、発着呼を検出した場合にその発着呼についての相手局ＩＤを取得すると共に前記検出した発着呼の成否を判定し、取得した相手局ＩＤに対応付けて前記判定結果を成否情報として前記記憶手段に登録し、無線通信によって相手局から相手局ＩＤと共に成否情報を受信した場合、受信した相手局ＩＤおよび成否情報を前記記憶手段に登録し、前記記憶手段に登録されている成否情報に基づいて通信品質を評価することを特徴とする。
【発明の効果】
【００１２】
本発明によれば、下り側経路および上り側経路の通信における通信品質を把握し、無線通信システム全体の通信品質を正確に評価することができる。
【図面の簡単な説明】
【００１３】
【図１】本発明の第１の実施形態に係る無線通信システム１０のシステム構成図の一例である。
【図２】本発明の第１の実施形態に係る固定通信端末装置２０のブロック構成図の一例である。
【図３】本発明の第１の実施形態に係るＲＳＳＩ監視部２５における、ＲＳＳＩ情報の安定状態を測る閾値の一例である。
【図４】本発明の第１の実施形態に係るＣＰＵ２７が生成する、固定通信端末装置側のテーブル情報の一例である。
【図５】本発明の第１の実施形態に係るＣＰＵ２７が生成する、固定通信端末装置側のテーブル情報および発着呼率の一例である。
【図６】本発明の第１の実施形態に係る固定通信端末装置２０における、発着呼監視部のブロック構成図の一例である。
【図７】本発明の第１の実施形態に係るＣＰＵ２７が生成する、基地局通信装置側のテーブル情報の一例である。
【図８】本発明の第１の実施形態に係る固定通信端末装置２０の動作フローの一例を示すフローチャートである。
【図９】本発明の第１の実施形態に係る固定通信端末装置２０の動作フローの一例を示すフローチャートである。
【図１０】本発明の第１の実施形態に係る固定通信端末装置２０の動作フローの一例を示すフローチャートである。
【図１１】本発明の第１の実施形態に係る固定通信端末装置２０の動作フローの一例を示すフローチャートである。
【図１２】本発明の第１の実施形態に係るＣＰＵ２７が生成する、分割テーブル情報の一例である。
【図１３】本発明の第１の実施形態に係る固定通信端末装置２０の動作フローの一例を示すフローチャートである。
【図１４】本発明の第１の実施形態に係る固定通信端末装置２０の動作フローの一例を示すフローチャートである。
【図１５】本発明の第２の実施形態に係る固定通信端末装置２０Ｂのブロック構成図の一例である。
【図１６】本発明の第３の実施形態に係る無線通信ネットワークシステム１００のシステム構成図の一例である。
【図１７】本発明の第４の実施形態に係る無線通信装置６０のブロック構成図の一例である。
【図１８】本発明の第４の実施形態に係る無線通信装置６０の動作フローの一例を示すフローチャートである。
【発明を実施するための形態】
【００１４】
（第１の実施形態）
本発明の第１の実施形態について説明する。本実施形態に係る無線通信システムの構成図を図１に示す。
【００１５】
本実施形態に係る無線通信システム１０は、図１に示すように、固定通信端末装置２０と基地局通信装置３０を備える。固定通信端末装置２０と基地局通信装置３０は、無線通信システム１０が運用中、双方で発着呼の発生と電源断の発生を監視し、発着呼および電源断に関する情報を取得する。そして、双方で取得した該情報をお互いに共有し合うことで、固定通信端末装置２０では、ＣＳ−ＩＤ（Ｃｅｌｌ  Ｓｔａｔｉｏｎ−ＩＤ）毎の発着呼率と、下り側経路および上り側経路で行われる通信を加味した、発着呼および電源断に関する情報を生成する。また、基地局通信装置３０では、ＰＳ−ＩＤ（Ｐｅｒｓｏｎａｌ  Ｓｔａｔｉｏｎ−ＩＤ）毎の発着呼率と、下り側経路および上り側経路で行われる通信を加味した、発着呼および電源断に関する情報を生成する。なお、発着呼率とは、発着呼の発生回数に対する呼確立の成功回数の割合のことであり、無線通信システム１０の通信品質を評価する一つの指標である。
【００１６】
本実施形態に係る固定通信端末装置２０のブロック図を図２に示す。図２に示すように、固定通信端末装置２０は、電源部２１と、発着呼監視部２２と、電圧監視部２３と、タイマー部２４と、ＲＳＳＩ監視部２５と、記憶部２６と、ＣＰＵ２７と、表示部２８と、通信部２９と、を備える。なお、基地局通信装置３０も固定通信端末装置と同様の機能を備える。
【００１７】
電源部２１は、固定通信端末装置２０の電源がオンされると、固定通信端末装置２０の各部へ電力の供給を開始する。
【００１８】
発着呼監視部２２は、発着呼の発生を検出するために、ＣＰＵ２７と通信部２９間の制御信号を監視する。そして、発着呼の発生を検出した場合、該発着呼に対する相手局のＣＳ−ＩＤと、発着呼確立の成否情報を取得し、記憶部２６に出力するとともに、タイマー部２４およびＲＳＳＩ監視部２５に発着呼の発生を通知する。なお、発着呼監視部２２の詳細については後述する。
【００１９】
電圧監視部２３は、電源断の発生を検出するために、電源部２１の電圧を監視する。そして、電源断の発生を検出した場合、タイマー部２４に電源断の発生を通知する。また、電源断からの復旧を検出すると、電圧監視部２３は、タイマー部２４に電源断からの復旧を通知する。なお、電圧監視部２３は個別に予備バッテリーを備えており、電源断が発生しても動作を継続することができる。
【００２０】
タイマー部２４は、発着呼監視部２２から発着呼発生の通知を受けると発着呼の発生時間を取得し、記憶部２６に出力する。また、電圧監視部２３から電源断発生の通知を受けると電源断の発生時間を、電源断からの復旧通知を受けると電源断からの復旧時間を取得し、記憶部２６に出力する。なお、タイマー部２４は個別に予備バッテリーを備えており、電源断が発生しても動作を継続することができる。
【００２１】
ＲＳＳＩ監視部２５は、相手局のＲＳＳＩの監視を行い、発着呼監視部２２から発着呼発生の通知を受けると、該発着呼に対する相手局のＲＳＳＩ情報を記憶部２６に出力する。なお、ＲＳＳＩ情報とは図３に示すように、例えば、閾値１と閾値２を設け、発着呼発生前後の時間において、相手局のＲＳＳＩが、閾値１≦ＲＳＳＩ≦閾値２であれば安定、それ以外の値であれば不安定と判定した情報のことを言う。さらに、ＲＳＳＩ監視部２５は、後述するＣＰＵ２７からＲＳＳＩ判定依頼が入力された場合、その依頼に基づいてＲＳＳＩの判定を行う。
【００２２】
記憶部２６は、発着呼監視部２２、タイマー部２４、ＲＳＳＩ監視部２５、ＣＰＵ２７から出力された発着呼および電源断に関する情報を記憶する。また、記憶部２６は、ＣＰＵ２７から発着呼および電源断に関する情報の読み出しを要求された場合、該情報をＣＰＵ２７に出力する。また、表示部２８から後述するテーブル情報の読み出しを要求された場合、該テーブル情報を表示部２８に出力する。
【００２３】
ＣＰＵ２７は、記憶部２６に対し、発着呼および電源断に関する情報の読み出し要求を行い、該情報を記憶部２６から取得する。そして、該取得した情報をテーブル化し、図４に示すようなテーブル情報を生成し、記憶部２６と通信部２９に出力する。また、ＣＰＵ２７は、通信部２９から、通信部２９が相手局から受信したテーブル情報を受信すると、該テーブル情報を自局で生成したテーブル情報に追加し、ＣＳ−ＩＤ毎の発着呼率を算出する。そして、前記自局で生成したテーブル情報に相手局が生成したテーブル情報を追加したテーブル情報と、前記算出した発着呼率を図５に示すように、記憶部２６に出力する。なお、図５のテーブル情報は、図４のテーブル情報と比較して、相手局からの着呼の失敗情報と発着呼率を含む点で違いがある。
【００２４】
表示部２８は、ユーザからテーブル情報の表示要求を受けると、記憶部２６に対し、テーブル情報の読み出し要求を行い、該テーブル情報を記憶部２６から取得する。そして該取得したテーブル情報をディスプレイ上に表示させる。
【００２５】
通信部２９は、ＣＰＵ２７からテーブル情報を受信すると、該テーブル情報内のＣＳ−ＩＤ宛に該テーブル情報を送信する。また、相手局からテーブル情報を受信すると、該テーブル情報をＣＰＵ２７に出力する。
【００２６】
発着呼監視部２２について詳細に説明する。図６は発着呼監視部２２のブロック構成図である。本実施形態の発着呼監視部２２は、発着呼検出部２２１と相手局ＩＤ検出部２２２を有する。
【００２７】
発着呼検出部２２１は、ＣＰＵ２７と通信部２９間の制御信号を監視し、発着呼の発生を検出した場合、タイマー部２４およびＲＳＳＩ監視部２５に発着呼の発生を通知する。さらに、発着呼検出部２２１は、発着呼が成功したか否かの判定を行い、発着呼確立の成否情報を取得する。そして、該発着呼確立の成否情報を記憶部２６に出力する。
【００２８】
相手局ＩＤ検出部２２２は、発着呼検出部２２１において発着呼の発生が検出されると、該発着呼に対する相手局のＣＳ−ＩＤを取得する。そして、該ＣＳ―ＩＤを記憶部２６に出力する。
【００２９】
ここで、基地局通信装置３０の構成および動作に関しては、発着呼発生時に取得する相手局のＩＤが固定通信端末装置２０固有のＩＤであるＰＳ−ＩＤになるだけで、それ以外は、上記で説明した固定通信端末装置２０と同様であるため、説明は省略する。なお、基地局通信装置３０で生成されるテーブル情報の一例を図７に示す。
【００３０】
次に本実施形態の無線通信システム１０における固定通信端末装置２０および基地局通信装置３０の動作例を説明する。
【００３１】
まずはじめに、図８を参照しながら、電源断発生の監視動作について詳細に説明する。
【００３２】
電源部２１は、電源がオンされると固定通信端末装置の各部に電力を供給し、各部の動作を開始させる（Ｓ１００）
電力が供給されると、電源監視部２３は電源オフの状態から電源断監視状態へ移行し、電源部２１の電圧の監視を開始する（Ｓ１０１）。
【００３３】
電源断の発生が検出されると（Ｓ１０２のＹＥＳ）、電源監視部２３は、電源断の発生をタイマー部２４に通知する。タイマー部２４は該通知を受けると、電源断の発生時間を取得し（Ｓ１０３）、記憶部２６に出力する。なお、電源監視部２３は、電源断の発生後も、電源部２１の電圧を継続して監視する。
【００３４】
電源断からの復旧が検出されると（Ｓ１０４のＹＥＳ）、電源監視部２３は、電源断からの復旧をタイマー部２４に通知する。タイマー部２４は該通知を受けると、電源断からの復旧時間を取得し（Ｓ１０５）、記憶部２６に出力する。そして、動作フローはＳ１０２へ戻り、電源監視部２３は電源断発生の監視を再開する。
【００３５】
なお、電源断が発生すると電源部２１からの電力供給はストップするが、電源監視部２３、タイマー部２４は予備バッテリーにより、動作を行うことができる。
【００３６】
次に、図９を参照しながら、発着呼発生の監視動作について、詳細に説明する。
【００３７】
電源部２１は、電源がオンされると固定通信端末装置の各部に電力を供給し、各部の動作を開始させる（Ｓ２００）。
【００３８】
電力が供給されると、発着呼監視部２２は電源オフの状態から発着呼監視状態へ移行し、ＣＰＵ２７と通信部２９間の制御信号の監視を開始する（Ｓ２０１）。
【００３９】
発着呼の発生が検出されると（Ｓ２０２のＹＥＳ）、発着呼監視部２２は、該発着呼に対する相手局のＣＳ−ＩＤと発着呼確立の成否情報を取得し（Ｓ２０３）、記憶部２６に出力するとともに、発着呼の発生をタイマー部２４およびＲＳＳＩ監視部２５に通知する。
【００４０】
タイマー部２４は、発着呼監視部２２から前記通知を受けると、発着呼の発生時間を取得し（Ｓ２０４）、記憶部２６に出力する。
【００４１】
また、ＲＳＳＩ監視部２５は、発着呼監視部２２から前記通知を受けると、相手局のＲＳＳＩを計測し、安定か否かの判定を行い、その判定結果を記憶部２６に出力する（Ｓ２０５）。そして、動作フローはＳ２０２に戻り、発着呼監視部２２は、ＣＰＵ２７と通信部２９間の制御信号の監視を開始する。
【００４２】
次に、図１０を参照しながら、自局で取得した発着呼および電源断の情報を相手局へ送信する動作を詳細に説明する。なお、ここでは、自局を固定通信端末装置、相手局を基地局通信装置として説明を行うが、自局を基地局通信装置、相手局を固定通信端末装置としても同様の動作が行われる。
【００４３】
タイマー部２４は、上記発着呼および電源断の監視が一定時間行われたか否かを判定する（Ｓ３００）。なお、一定時間とは１０分間隔であったり１時間間隔であったりと、ユーザが適宜変更することができる。
【００４４】
一定時間、発着呼および電源断の監視が行われると（Ｓ３００のＹＥＳ）、ＣＰＵ２７は、記憶部２６に対して、発着呼および電源断に関する情報の読み出し要求を行い、該要求を受けた記憶部２６は、発着呼および電源断に関する情報をＣＰＵ２７に出力する（Ｓ３０１）。そして、ＣＰＵ２７は、前記記憶部２６から出力された発着呼および電源断に関する情報をテーブル化し、図４に示すようなテーブル情報を生成し（Ｓ３０２）、記憶部２６に出力するとともに、ＲＳＳＩ判定依頼をＲＳＳＩ監視部２５へ出力する。
【００４５】
ＲＳＳＩ監視部２５は、前記ＲＳＳＩ判定依頼を受け取ると、Ｓ３０２で生成したテーブル情報内に記憶されているＣＳ−ＩＤの現時点でのＲＳＳＩを取得し、安定しているか否かを判定する（Ｓ３０３）。具体的には、テーブル情報内に記憶されているＣＳ−ＩＤの現時点でのＲＳＳＩが、図３に示す閾値３以上ならば安定、閾値３未満ならば不安定と判定する。なお、閾値３の値および判定基準はユーザが適宜変更できる。例えば、取得したＲＳＳＩが、閾値３≦ＲＳＳＩ≦閾値２であれば安定、それ以外の値であれば不安定と判定することもできる。
【００４６】
ＲＳＳＩが不安定であった場合（Ｓ３０３のＮＯ）、テーブル情報内に記録されているＣＳ−ＩＤのＲＳＳＩが安定になるまでＳ３０３を繰り返す。ＲＳＳＩが安定であった場合（Ｓ３０３のＹＥＳ）、ＲＳＳＩ監視部２５は、ＲＳＳＩが安定している旨をＣＰＵ２７に通知する。ＣＰＵ２７は、該通知を受け取ると、Ｓ３０２で生成したテーブル情報を通信部２９に出力する（Ｓ３０４）。
【００４７】
通信部２９は、前記出力されたテーブル情報を受信すると、該テーブル情報をテーブル情報内に記憶されているＣＳ−ＩＤ宛に送信する（Ｓ３０５）。そして、動作フローは、Ｓ３００に戻る。
【００４８】
次に、図１１を参照しながら、ＣＰＵ２７が生成したテーブル情報内に、異なるＣＳ−ＩＤが複数個含まれている場合の相手局へのテーブル情報の送信動作を詳細に説明する。なお、Ｓ４００、Ｓ４０１、Ｓ４０２は上記で説明したＳ３００、Ｓ３０１、Ｓ３０２と同様の動作であるため、説明を省略する。
【００４９】
Ｓ４０２で生成したテーブル情報内に異なるＣＳ−ＩＤが複数個含まれている場合、ＣＰＵ２７は、図１２に示すようにテーブル情報をＣＳ−ＩＤ毎に分割する（Ｓ４０３）。なお、分割したテーブル情報の一つ一つを分割テーブル情報と呼ぶ。
【００５０】
テーブル情報の分割が完了すると、ＣＰＵ２７は、複数ある分割テーブル情報の中から、ＣＳ−ＩＤ宛にまだ送信していない分割テーブル情報を１つ選択し（Ｓ４０４）、ＲＳＳＩ監視部２５にＲＳＳＩ判定依頼を出力する。
【００５１】
ＲＳＳＩ監視部２５は、ＲＳＳＩ判定依頼を受け取ると、選択した分割テーブル情報内に記録されているＣＳ−ＩＤの現時点でのＲＳＳＩを取得し、安定しているか否かを判定する（Ｓ４０５）。なお、ここでの判定は、Ｓ３０３で行った判定と同様の方法を用いる。
【００５２】
ＲＳＳＩが不安定であった場合（Ｓ４０５のＮＯ）、ＲＳＳＩ監視部２５は、テーブル情報内に記録されているＣＳ−ＩＤのＲＳＳＩが安定になるまでＳ４０５を繰り返す。
【００５３】
ＲＳＳＩが安定であった場合（Ｓ４０５のＹＥＳ）、ＲＳＳＩ監視部２５は、ＲＳＳＩが安定している旨をＣＰＵ２７に通知する。ＣＰＵ２７は、この通知を受け取ると、Ｓ４０４で選択した分割テーブル情報を通信部２９に出力する（Ｓ４０６）。
【００５４】
通信部２９は、ＣＰＵ２７から出力された分割テーブル情報を受信すると、該分割テーブル情報を該分割テーブル情報内に記憶されているＣＳ−ＩＤ宛に送信する（Ｓ４０７）。
【００５５】
分割テーブル情報の送信完了後、ＣＰＵ２７は複数ある分割テーブル情報内に、未送信の分割テーブル情報があるか否かを判定する（Ｓ４０８）。
【００５６】
複数ある分割テーブル情報内に、未送信の分割テーブル情報がある場合（Ｓ４０８のＹＥＳ）、Ｓ４０４に戻る。逆に、複数ある分割テーブル情報内に、未送信の分割テーブル情報がない場合（Ｓ４０８のＮＯ）、動作フローはＳ４００に戻る。
【００５７】
次に、図１３を参照しながら、相手局で生成されたテーブル情報を受信する動作について詳細に説明する。
【００５８】
電源部２１は、電源がオンされると固定通信端末装置の各部に電力を供給し、各部の動作を開始させる（Ｓ５００）
電力が供給されると、通信部２９は電源オフの状態から待機状態へ移行する（Ｓ５０１）。
【００５９】
そして、通信部２９は、待機状態の時に  相手局からテーブル情報が送信され、該テーブル情報を受信すると（Ｓ５０２のＹＥＳ）、該テーブル情報をＣＰＵ２７に出力する（Ｓ５０３）。
【００６０】
ＣＰＵ２７は、前記通信部２９から出力されたテーブル情報を受信すると、記憶部２６に対して、自局で生成したテーブル情報の読み出し要求を行う。該要求を受けた記憶部２６は自局で生成したテーブル情報をＣＰＵ２７に出力する。そして、ＣＰＵ２７は、記憶部２６から出力された自局で生成したテーブル情報に、前記通信部２９から出力された相手局で生成されたテーブル情報を追加し、発着呼率を算出する（Ｓ５０４）。さらに、ＣＰＵ２７は、自局で生成したテーブル情報に相手局で生成されたテーブル情報を追加したテーブル情報と、発着呼率を図５に示すように記憶部２６に出力する（Ｓ５０５）。
【００６１】
Ｓ５０５終了後、動作フローはＳ５０２に戻る。
【００６２】
最後に、図１４を参照しながら、ユーザがテーブル情報を表示部に表示させる動作を説明する。
【００６３】
電源部２１は、電源がオンされると固定通信端末装置の各部に電力を供給し、各部の動作を開始させる（Ｓ６００）。
【００６４】
電力が供給されると、表示部２８は電源オフ状態から待受状態に移行し、ディスプレイに待受画面等を表示する（Ｓ６０１）。
【００６５】
そして、ユーザからテーブル情報の表示要求があると（Ｓ６０２のＹＥＳ）、表示部２８は、記憶部２６に対して、テーブル情報の読出し要求を行い、該要求を受けた記憶部２６は、テーブル情報を表示部２８に出力する（Ｓ６０３）。
【００６６】
表示部２８は、記憶部２６からテーブル情報を受信すると、該テーブル情報をディスプレイ上に表示する（Ｓ６０４）。Ｓ６０４終了後、動作フローはＳ６００に戻る。
【００６７】
以上のように、本発明に係る無線通信システム１０は、固定通信端末装置２０と基地局通信装置３０の双方で、発着呼発生と電源断発生の監視を行い、発着呼および電源断に関する情報を取得し、テーブル情報を生成する。そして、双方で生成したテーブル情報をお互いに共有し合うことで、固定通信端末装置２０では、ＣＳ−ＩＤ毎の発着呼率と、下り側経路および上り側経路で行われる通信を加味したテーブル情報を生成し、基地局通信装置３０では、ＰＳ−ＩＤ毎の発着呼率と、固定通信端末２０同様、下り側経路および上り側経路で行われる通信を加味したテーブル情報を生成する。その結果、該生成した発着呼率とテーブル情報によって、無線信システム１０における、下り側経路および上り側経路で行われる通信の通信品質を正確に把握することができ、無線通信システム全体の通信品質を正確に評価することが可能になる。
【００６８】
また、本発明に係る無線通信システム１０は、固定通信端末装置２０および基地局通信装置３０おいて、発着呼および電源断に関する情報をテーブル化し、テーブル情報を生成する。その結果、発着呼発生時におけるＲＳＳＩ情報や電源断の発生情報等の無線通信システムの通信品質を評価する複数の情報を、各々関連付けて確認することができるようになる。このため、発着呼の失敗が、固定通信端末装置２０や基地局通信装置３０の故障といった内的要因に起因するものなのか、マルチパスフェージングや通信設備の周囲で発生したノイズ、停電といった外的要因に起因するものなのかを容易に判断することが可能になる。
【００６９】
さらに、本発明に係る無線通信システム１０は、固定通信端末装置２０および基地局通信装置３０おいて、ユーザからのテーブル情報の表示要求を受けると、生成したテーブル情報をディスプレイに表示させる。従って、本発明に係る無線通信システム１０は、ユーザに対して、無線通信システムにおける通信品質を容易に提供できる。
【００７０】
（第２の実施形態）
次に、本発明の第２の実施形態について説明する。本実施形態は、固定通信端末装置２０および基地局通信装置３０が有するＣＰＵ内部に、発着呼監視部を追加する以外、上記第１の実施形態の構成と同じである。なお、上記第１の実施形態と同一の構成および機能を有する部分については、説明を省略する。
【００７１】
本発明の第２の実施形態に係る固定通信端末装置２０Ｂのブロック図を図１５に示す。
【００７２】
発着呼率監視部２７１は、ＣＰＵ２７Ｂが求めた発着呼率と、閾値との比較を行い、通信品質の良し悪しを判定する。例えば、該求めた発着呼率が、９０％≦発着呼率であれば高通信品質、発着呼率＜９０％であれば低通信品質と判定する。なお、閾値は適宜変更することができる。
【００７３】
ＣＰＵ２７Ｂは、発着呼率監視部２７１において、低通信品質と判定された場合、低通信品質情報を生成し、表示部２８に出力する。
【００７４】
表示部２８は、ＣＰＵ２７Ｂから低通信品質情報を受信すると、ディスプレイ上に該低通信品質情報を表示する。
【００７５】
上記構成にすることで、本発明の第２の実施形態に係る無線通信システム１０Ｂおいて、ユーザは、通信品質の低下を随時把握することができるため、無線通信システム１０Ｂの保守および運用を効率的に行うことが可能になる。
【００７６】
（第３の実施形態）
本発明の第３の実施形態について説明する。
【００７７】
本実施形態に係る無線通信ネットワークシステム１００のシステム構成図を図１６に示す。
【００７８】
本実施形態に係る無線通信ネットワークシステム１００は、図１６に示すように、複数の固定通信端末装置２０ａ〜２０ｆと複数の基地局通信装置３０ａ〜３０ｃとからなる無線通信システム１０ａ〜１０ｃと、公衆通信網４０と、保守・運用サーバ５０と、を備える。なお、本実施形態の固定通信端末装置２０ａ〜２０ｆには、上記第２の実施形態で説明した固定通信端末装置２０Ｂを適用する。また、本実施形態の固定通信端末装置と、基地局通信装置、無線通信システムの数は適宜変更可能である。以下、本実施形態では、第２の実施形態において、既に説明した部分と同様の構成および機能を有する部分には同一符号を付し、説明は省略する。
【００７９】
固定通信端末装置２０ａ〜２０ｆは、上記第２の実施形態同様、テーブル情報と、発着呼率、低通信品質情報を生成し、該低通信品質情報ついては表示部で表示する。
【００８０】
基地局通信装置３０ａ〜ｃは、上記第２の実施形態同様、テーブル情報と、発着呼率、低通信品質情報を生成し、該低通信品質情報ついては表示部で表示する。それに加え、基地局通信装置の図示しないＣＰＵは、前記生成したテーブル情報、発着呼率、低通信品質情報を基地局通信装置の図示しない通信部に出力する。通信部は該出力されたテーブル情報、発着呼率、低通信品質情報をＣＰＵから受信すると、公衆通信網４０を介して保守・運用サーバ５０に出力する。
【００８１】
公衆通信網４０は、不特定多数の利用者を目的とした通信回線のことである。例えば、一般加入電話のための通信網などがこれに該当する。
【００８２】
保守・運用サーバ５０は、基地局通信装置３０ａ〜３０ｃから公衆通信網４０を介して出力された前記テーブル情報と、発着呼率、低通信品質情報を受信すると、出力元の基地局通信装置が属す無線通信システムごとに、テーブル情報と、発着呼率、低通信品質情報を整理して記憶する。
【００８３】
本発明の第３の実施形態に係る無線通信ネットワークシステム１００は、上記構成とすることで、保守・運用サーバ５０において、各無線通信システム１０ａ〜１０ｃで生成されたテーブル情報と、発着呼率、低通信品質情報を一括管理することができる。その結果、遠隔地に多数構築された無線通信システムの情報を現地に赴くことなく収集することが可能になる。
【００８４】
（第４の実施形態）
本発明の第４の実施形態について説明する。
【００８５】
本実施形態に係る無線通信装置６０のブロック構成図を図１７に示す。
【００８６】
本実施形態に係る無線通信装置６０は、図１７に示すように、通信手段６１と、記憶手段６２と、発着呼検出手段６３と、情報受付手段６４と、評価手段６５と、を備える。
【００８７】
通信手段６１は、無線通信によって相手局と所定の情報を送受信する。
【００８８】
記憶手段６２は、相手局ＩＤに対応付けられた成否情報が登録される。
【００８９】
発着呼検出手段６３は、発着呼を検出した場合に、この発着呼についての相手局ＩＤを取得するとともに、検出した発着呼の成否を判定し、その判定結果を成否情報として相手局ＩＤに対応付けする。そして、相手局ＩＤおよび成否情報を記憶手段に登録する。
【００９０】
情報受付手段６４は、通信手段６１が、相手局から相手局ＩＤおよび成否情報を受信した場合、受信した相手局ＩＤおよび成否情報を記憶手段６２に登録する。
【００９１】
評価手段６５は、記憶手段６２に登録されている成否情報に基づき通信品質を評価する。
【００９２】
次に、図１８を参照しながら、本実施形態に係る無線通信装置６０の動作について説明する。
【００９３】
発着呼検出手段６３は、発着呼を検出した場合、この発着呼についての相手局ＩＤを取得するとともに、検出した発着呼の成否を判定し、その判定結果を成否情報として相手局ＩＤに対応付けする。そして、相手局ＩＤおよび成否情報を記憶手段６２に登録する（Ｓ７００）。
【００９４】
情報受付手段６４は、通信手段６１が、相手局から相手局ＩＤと共に成否情報を受信した場合、受信した相手局ＩＤおよび成否情報を記憶手段６２に登録する（Ｓ７０１）。
【００９５】
評価手段６５は、記憶手段６２に登録されている成否情報に基づき通信品質を評価する（Ｓ７０２）。Ｓ７０２終了後、動作フローは終了する。
【００９６】
上記構成とすることで、本発明に係る無線通信装置６０は、下り側経路および上り側経路の通信における通信品質を把握し、無線通信システム全体の通信品質を正確に評価することができる。
【符号の説明】
【００９７】
１０  無線通信システム
２０  固定通信端末装置
２１  電源部
２２  発着呼監視部
２３  電圧監視部
２４  タイマー部
２５  ＲＳＳＩ監視部
２６  記憶部
２７  ＣＰＵ
２８  表示部
２９  通信部
３０  基地局通信装置
４０  公衆通信網
５０  保守・運用サーバ
６０  無線通信装置
６１  通信手段
６２  記憶手段
６３  発着呼検出手段
６４  情報受付手段
６５  評価手段
１００  無線通信ネットワークシステム
２２１  発着呼検出部
２２２  相手局ＩＤ検出部
【図１】
2016066936.tif 000003
【図２】
2016066936.tif 000004
【図３】
2016066936.tif 000005
【図４】
2016066936.tif 000006
【図５】
2016066936.tif 000007
【図６】
2016066936.tif 000008
【図７】
2016066936.tif 000009
【図８】
2016066936.tif 000010
【図９】
2016066936.tif 000011
【図１０】
2016066936.tif 000012
【図１１】
2016066936.tif 000013
【図１２】
2016066936.tif 000014
【図１３】
2016066936.tif 000015
【図１４】
2016066936.tif 000016
【図１５】
2016066936.tif 000017
【図１６】
2016066936.tif 000018
【図１７】
2016066936.tif 000019
【図１８】
2016066936.tif 000020